(57)【要約】【課題】脚周り部の柔軟性低下を抑えつつ、脚周り部に沿う湾曲弾性部材の湾曲が緩くなる事態を防止する。【解決手段】上記課題は、湾曲弾性部材２６，２８の収縮部分を幅方向変化量が５ｍｍとなる間隔で区分し、各区間の両端を結ぶ直線ｋが幅方向に対してなす角度を区間角度αと定めたとき、側方に向かうにつれての区間角度αの増加量が５°以上の隣接区間からなる急湾曲区間１００では、湾曲弾性部材２６，２８を固定するためのホットメルト接着剤Ｂ２の塗布量が５〜１２ｇ／ｍ2とされ、それ以外の緩湾曲区間１０１ではホットメルト接着剤Ｂ３の塗布量が３〜５ｇ／ｍ2とされ、かつホットメルト接着剤Ｂ２の塗布量がホットメルト接着剤Ｂ３の塗布量の１．５〜４倍とされている、ことを特徴とするパンツタイプ使い捨ておむつ１により解決される。【選択図】図１０
2014028066.tif 000002
【特許請求の範囲】
【請求項１】
前身頃及び後身頃を形成する外装シートと、この外装シートの内面に固定された、吸収体を含む内装体とを備え、前記前身頃における外装シートの両側部と後身頃における外装シートの両側部とがそれぞれ接合されてサイドシール部が形成されることにより、ウエスト開口部及び左右一対のレッグ開口部が形成され、
前記外装シートにおける前身頃及び後身頃の少なくとも一方には、一方のサイドシール部から一方のレッグ開口部に沿って股間部に向かい、股間部を横断し、かつ他方のレッグ開口部に沿って他方のサイドシール部に至るパターンで、湾曲しつつ延在する湾曲弾性部材がホットメルト接着剤により接着され、
前記湾曲弾性部材における前記内装体と重なる部分の一部または全部が、細かく切断されて収縮力が作用しない非収縮部分とされ、この非収縮部分より側方に湾曲しつつ延在する部分が収縮力の作用する収縮部分とされている、
パンツタイプ使い捨ておむつにおいて、
前記湾曲弾性部材の収縮部分を幅方向変化量が５ｍｍとなる間隔で区分し、各区間の両端を結ぶ直線が幅方向に対してなす角度を区間角度と定めたとき、側方に向かうにつれての区間角度の増加量が５°以上の隣接区間からなる急湾曲区間では、前記湾曲弾性部材を固定するためのホットメルト接着剤の塗布量が５〜１２ｇ／ｍ2とされ、それ以外の緩湾曲区間ではホットメルト接着剤の塗布量が３〜５ｇ／ｍ2とされ、かつ前記急湾曲区間における湾曲弾性部材を固定するためのホットメルト接着剤の塗布量が、前記緩湾曲区間における湾曲弾性部材を固定するためのホットメルト接着剤の塗布量の１．５〜４倍である、
ことを特徴とするパンツタイプ使い捨ておむつ。
【請求項２】
前記急湾曲区間では、接触式塗布装置によりホットメルト接着剤が膜状に塗布され、前記緩湾曲区間では、エアーによりホットメルト接着剤を散布する非接触式塗布装置によりホットメルト接着剤が塗布されてなる、請求項１記載のパンツタイプ使い捨ておむつ。
【請求項３】
前記急湾曲区間が、前記内装体と重る部位にのみ設けられている、請求項１又は２記載のパンツタイプ使い捨ておむつ。
【請求項４】
前記内装体と外装シートとを固定する内外装固定領域は、前記急湾曲区間を有する前後方向範囲では前記急湾曲区間の全体に及ぶように、当該前後方句範囲の前後少なくとも一方側より幅が拡大されている、請求項３記載のパンツタイプ使い捨ておむつ。
【発明の詳細な説明】
【技術分野】
【０００１】
本発明は、フィット性、薄さ及び柔軟性を兼ね備えた外装シートを有するパンツタイプ使い捨ておむつに関する。
【背景技術】
【０００２】
パンツタイプ使い捨ておむつは、前身頃及び後身頃を有する外装シートと、この外装シートの内面に固定された、吸収体を含む内装体とを備え、前記外装シートの前身頃と後身頃とが両側部において接合されてサイドシール部が形成されることにより、ウエスト開口部及び左右一対のレッグ開口部が形成されているものである。
【０００３】
パンツタイプ使い捨ておむつにおいては、身体へのフィット性を向上させるために、外装シートに、種々の弾性部材を伸長状態で固定することが行われており（例えば特許文献１〜６参照）、中でも、ウエスト部弾性部材、腰回り弾性部材及び湾曲弾性部材を備えているもの（特許文献６記載に代表される）は、比較的に身体に対するフィット性が高いものとなっている。ここに、ウエスト部弾性部材は、ウエスト開口部の縁部に、縦方向に間隔を空けて幅方向に沿って複数本平行に配置されているものである。また、腰回り弾性部材は、ウエスト部弾性部材よりも前後方向中央部側の領域に、縦方向に間隔を空けて幅方向に沿って配置されているものである。さらに、湾曲弾性部材は、前身頃及び後身頃の少なくとも一方において、一方のサイドシール部から一方のレッグ開口部に沿って股間部に向かい、股間部を横断し、かつ他方のレッグ開口部に沿って他方のサイドシール部に至るパターンで、湾曲しつつ延在するものである。これら弾性部材は、幅方向中央部における内装体と重なる部分を細かく切断し、内装体の収縮を防止することが一般的である。
【０００４】
この湾曲弾性部材の外装シートに対する固定は、一般に、外装シートにおける湾曲弾性部材の固定部位に予めホットメルト接着剤を塗布し、この塗布部分に湾曲弾性部材を上記パターンで供給し、接着することにより行われている。また、所定の湾曲パターンで強固に固定するために、ホットメルト接着剤の塗布をスロットコート等の接触式の塗布装置により行うことが一般的である。
【０００５】
ただしこの場合、湾曲弾性部材を固定するためのホットメルト接着剤の塗布量が多くなり、外装シートの脚周り部分の柔軟性が低下するという問題点があった。これを解決するために、湾曲弾性部材の全体にわたりホットメルト接着剤の塗布量を低減することも考えられるが、その場合、湾曲弾性部材の固定力が不十分となり、湾曲弾性部材が所定のパターンからずれるという問題点がある。
【０００６】
この湾曲弾性部材の位置ずれの形態としては、湾曲弾性部材が幅方向中央部で切断されている場合において、湾曲弾性部材がサイドシール部に向かって引き込まれる（外装シートに対する接着が外れて収縮する）引き込みが知られており、これについては湾曲弾性部材の切断側（幅方向中央側）の端部のみ、固定を強固にすることで解決できる（例えば特許文献７，８参照）。
【先行技術文献】
【特許文献】
【０００７】
【特許文献１】特開平７−２６５３５７号公報
【特許文献２】特開平７−２９９０９４号公報
【特許文献３】特開平１１−３６１０３号公報
【特許文献４】特開２００１−２５８９３１号公報
【特許文献５】特開２００１−２０４７６２号公報
【特許文献６】特開２００６−０４３４１５号公報
【特許文献７】特許第４１１１６５７号公報
【特許文献８】特許第４８８４４９１号公報
【発明の概要】
【発明が解決しようとする課題】
【０００８】
しかしながら、本発明者の知見によれば、ホットメルト接着剤の塗布量低下による湾曲弾性部材の位置ずれは、この切断端部の引き込みだけではなく、湾曲（カーブ）がきつく、製造時に湾曲弾性部材の張力が強くなる部分において、湾曲弾性部材の位置が設計線から横にずれて湾曲が緩くなる形態も存在し、しかも、上記従来技術では、この湾曲が緩くなる事態は防止できない（そもそも、従来技術ではこのような問題点を想定していない）。
【０００９】
そこで本発明の主たる課題は、外装シートの脚周り部に沿って湾曲弾性部材をホットメルト接着剤により固定する場合に、脚周り部の柔軟性低下を抑えつつ、湾曲弾性部材の湾曲が緩くなる事態を防止することにある。
【課題を解決するための手段】
【００１０】
上記課題を解決した本発明は次のとおりである。
＜請求項１記載の発明＞
前身頃及び後身頃を形成する外装シートと、この外装シートの内面に固定された、吸収体を含む内装体とを備え、前記前身頃における外装シートの両側部と後身頃における外装シートの両側部とがそれぞれ接合されてサイドシール部が形成されることにより、ウエスト開口部及び左右一対のレッグ開口部が形成され、
前記外装シートにおける前身頃及び後身頃の少なくとも一方には、一方のサイドシール部から一方のレッグ開口部に沿って股間部に向かい、股間部を横断し、かつ他方のレッグ開口部に沿って他方のサイドシール部に至るパターンで、湾曲しつつ延在する湾曲弾性部材がホットメルト接着剤により接着され、
前記湾曲弾性部材における前記内装体と重なる部分の一部または全部が、細かく切断されて収縮力が作用しない非収縮部分とされ、この非収縮部分より側方に湾曲しつつ延在する部分が収縮力の作用する収縮部分とされている、
パンツタイプ使い捨ておむつにおいて、
前記湾曲弾性部材の収縮部分を幅方向変化量が５ｍｍとなる間隔で区分し、各区間の両端を結ぶ直線が幅方向に対してなす角度を区間角度と定めたとき、側方に向かうにつれての区間角度の増加量が５°以上の隣接区間からなる急湾曲区間では、前記湾曲弾性部材を固定するためのホットメルト接着剤の塗布量が５〜１２ｇ／ｍ2とされ、それ以外の緩湾曲区間ではホットメルト接着剤の塗布量が３〜５ｇ／ｍ2とされ、かつ前記急湾曲区間における湾曲弾性部材を固定するためのホットメルト接着剤の塗布量が、前記緩湾曲区間における湾曲弾性部材を固定するためのホットメルト接着剤の塗布量の１．５〜４倍である、
ことを特徴とするパンツタイプ使い捨ておむつ。
【００１１】
（作用効果）
上記の急湾曲区間は湾曲が急であるために、一見すると引っ掛かりになって移動し難いように見えるが、湾曲弾性部材を揺動させつつ外装シートに固定するという一般的な製造方法を採用した場合、製造時に湾曲弾性部材に加わる張力は、急湾曲部分において急激に湾曲弾性部材を移動させることに起因して強くなる。なお、急湾曲部分を側方に向かうにつれての区間角度の増加量に限定したのは、側方に向かうにつれて区間角度が減少する部分では張力が減少するためである。したがって、この部分における湾曲弾性部材の固定のためのホットメルト接着剤の塗布量を十分に確保し、それ以外は少なく抑えることにより、脚周り部の柔軟性低下を抑えつつ、湾曲弾性部材の湾曲が緩くなる事態を防止できるようになる。
【００１２】
＜請求項２記載の発明＞
前記急湾曲区間では、接触式塗布装置によりホットメルト接着剤が膜状に塗布され、前記緩湾曲区間では、エアーによりホットメルト接着剤を散布する非接触式塗布装置によりホットメルト接着剤が塗布されてなる、請求項１記載のパンツタイプ使い捨ておむつ。
【００１３】
（作用効果）
このように、強く確実な固定が必要な急湾曲区間では接触式塗布装置を用い、均質な塗布膜を形成することが好ましく、固定力を可能な限り下げずに柔軟性を向上するために緩湾曲区間では、エアーによりホットメルト接着剤を散布する非接触式塗布装置を用い、若干斑な塗布を行うことが好ましい。
【００１４】
＜請求項３記載の発明＞
前記急湾曲区間が、前記内装体と重る部位にのみ設けられている、請求項１又は２記載のパンツタイプ使い捨ておむつ。
【００１５】
（作用効果）
急湾曲区間に限るとはいえホットメルト接着剤の塗布量を増加させると、その領域は硬くならざるをえない。よって、上記のように急湾曲区間を内装体と重なる部位にとどめ、塗布量が多く比較的に硬い急湾曲区間を内装体でカバーし、身体への直接接触を避けることが望ましい。
【００１６】
＜請求項４記載の発明＞
前記内装体と外装シートとを固定する内外装固定領域は、前記急湾曲区間を有する前後方向範囲では前記急湾曲区間の全体に及ぶように、当該前後方句範囲の前後少なくとも一方側より幅が拡大されている、請求項３記載のパンツタイプ使い捨ておむつ。
【００１７】
（作用効果）
このように、内外固定領域を急湾曲区間の全体に及ぼさせることで、確実に急湾曲区間を内装体でカバーし、前述の急湾曲区間のカバー効果を発揮させることができるとともに、急湾曲区間により内装体を身体に押しつける効果も向上するようになる。
【発明の効果】
【００１８】
以上のとおり、本発明によれば、脚周り部の柔軟性低下を抑えつつ、湾曲弾性部材の湾曲が緩くなる事態を防止できるようになる、等の利点がもたらされる。
【図面の簡単な説明】
【００１９】
【図１】展開状態のパンツタイプ使い捨ておむつの平面図（内面側）である。
【図２】展開状態のパンツタイプ使い捨ておむつの平面図（外面側）である。
【図３】展開状態のパンツタイプ使い捨ておむつの要部平面図である。
【図４】図１のＣ−Ｃ断面図である。
【図５】図１のＡ−Ａ断面図である。
【図６】図１のＢ−Ｂ断面図である。
【図７】パンツタイプ使い捨ておむつの装着状態の斜視図である。
【図８】接着剤塗布パターンを示す平面図である。
【図９】接着剤塗布パターンを示す平面図である。
【図１０】前身頃の要部拡大平面図である。
【図１１】後身頃の要部拡大平面図である。
【発明を実施するための形態】
【００２０】
以下、本発明の一実施形態について、添付図面を参照しつつ詳説する。なお、用語「伸長率」は自然長を１００％としたときの値を意味する。
図１〜図７は実施形態のパンツタイプ使い捨ておむつ１を示している。このパンツタイプ使い捨ておむつ１（以下、単におむつともいう。）は、前身頃Ｆ及び後身頃Ｂをなす外装シート２０と、この外装シート２０の内面に固定され一体化された内装体１０とを有しており、内装体１０は液透過性表面シート１１と液不透過性裏面側シート１２との間に吸収体１３が介在されてなるものである。製造に際しては、外装シート２０の内面（上面）に対して内装体１０の裏面がホットメルト接着剤Ｇなどの接合手段によって固定された後に、内装体１０および外装シート２０が前身頃Ｆ及び後身頃Ｂの境界である縦方向（前後方向）中央で折り畳まれ、その両側部が相互に熱溶着またはホットメルト接着剤などによって接合されてサイドシール部２１が形成されることによって、ウエスト開口部及び左右一対のレッグ開口部が形成されたパンツタイプ使い捨ておむつとなる。
【００２１】
（外装シートの構造例）
外装シート２０は、図４〜図６にも示されるように、それぞれ上層不織布２０Ａ及び下層不織布２０Ｂ（つまり、この形態では下層不織布が最外側不織布となる）からなる２層構造の不織布シートとされ、上層不織布２０Ａと下層不織布２０Ｂとの間、及び下層不織布２０Ｂをウエスト開口縁で内面側に折り返してなる折り返し部分２０Ｃの不織布間に各種弾性部材が配設され、伸縮性が付与されている。平面形状は、中間両側部にそれぞれレッグ開口部を形成するために形成された凹状の脚回りライン２９により、全体として擬似砂時計形状をなしている。
【００２２】
特に、図示形態の外装シート２０においては、弾性部材として、図１〜図３に示される展開形状において、ウエスト開口部近傍２３に配置されたウエスト部弾性部材２４と、前身頃Ｆ及び後身頃Ｂに、縦方向に間隔をおいて幅方向に沿って配置された複数の腰回り弾性部材２５とを有するとともに、前身頃Ｆ及び後身頃Ｂのそれぞれにおいて、腰回り弾性部材群２５とは別に、一方のサイドシール部２１から一方のレッグ開口部に沿って股間部に向かい、股間部を横断し、かつ他方のレッグ開口部に沿って他方のサイドシール部２２に至るパターンで湾曲しつつ延在する、互いに交差することなく間隔をおいて配置された複数本の湾曲弾性部材２６，２８を備えている。これら、弾性部材２４〜２８は、それぞれその延在方向に沿って所定の伸長率で伸長された状態で固定されている。なお、本外装シート２０では、脚回りライン２９に沿って前身頃Ｆのサイドシール部から後身頃Ｂのサイドシール部まで連続する、所謂脚回り弾性部材は設けられていない。
【００２３】
ウエスト部弾性部材２４は、前身頃Ｆと後身頃Ｂとが接合されたサイドシール部２１の範囲の内、ウエスト開口縁近傍に上下方向に間隔をおいて配置された複数条の糸ゴム等の細長状弾性部材であり、身体のウエスト部回りを締め付けるように伸縮力を与えることによりおむつを身体に装着するためのものである。このウエスト部弾性部材２４は、図示例では糸ゴムを用いたが、例えばテープ状の伸縮部材を用いてもよい。また、図示形態のウエスト部弾性部材２４は、ウエスト部における下層不織布２０Ｂの折り返し部分２０Ｃの不織布間に挟持されているが、上層不織布２０Ａと下層不織布２０Ｂとの間に挟持しても良い。
【００２４】
腰回り弾性部材２５は、サイドシール部２１の内、概ね上部から下部までの範囲に亘り、上下方向に間隔をおいて配置された糸ゴム等の細長状弾性部材であり、前身頃Ｆ及び後身頃Ｂの腰回り部分に夫々幅方向の伸縮力を与え、おむつを身体に密着させるためのものである。なお、ウエスト部弾性部材２４と腰回り弾性部材２５との境界は必ずしも明確でなくてよい。例えば、前身頃Ｆ及び後身頃Ｂに上下方向に間隔をおいて幅方向に配置された弾性部材の内、数は特定できなくても、上部側の何本かがウエスト部弾性部材として機能し、残りの弾性部材が腰回り弾性部材として機能していればよい。
【００２５】
後身頃Ｂにおいて、腰回り弾性部材２５とは別に配設された背側湾曲弾性部材２６は、糸ゴム等の細長状弾性部材であり、図示例では、その長手方向中間に縦方向との鋭角側交差角θ（以下、縦方向交差角ともいう）が最小となる最小点を有するとともに、この最小点から幅方向両側に向かうにつれて縦方向交差角θが０度〜９０度の範囲内で増加する所定の曲線であって、且つおむつを展開した状態で内装体の両側部と重なる領域内に縦方向交差角θが６０°以下となる交差部分７０を有する所定の曲線に沿って配置されている。背側湾曲弾性部材２６は、一本であっても良いが複数本であるのが好ましく、図示例では５本の糸ゴム状弾性部材であり、これら背側湾曲弾性部材２６は互いに交差することなく、間隔をおいて配置されている。この背側湾曲弾性部材群２６は、２，３本程度の弾性伸縮部材を間隔を密にして実質的に一束として配置されるのではなく、所定の伸縮ゾーンを形成するように３〜２０ｍｍ、好ましくは６〜１６ｍｍ程度の間隔を空けて、３本以上、好ましくは５本以上配置される。
【００２６】
外装シート２０の前身頃Ｆにおいて、腰回り弾性部材群２５とは別に配設された腹側湾曲弾性部材２８は糸ゴム等の細長状弾性部材であり、図示例では、その長手方向中間に縦方向との縦方向交差角θが最小となる最小点を有するとともに、この最小点から幅方向両側に向かうにつれて縦方向交差角θが０度〜９０度の範囲内で増加する所定の曲線であって、且つおむつを展開した状態で内装体の両側部と重なる領域内に縦方向交差角θが６０°以下となる交差部分７０を有する所定の曲線に沿って配置されている。腹側湾曲弾性部材２８は、一本であっても良いが複数本であるのが好ましく、図示例では５本の糸状弾性部材であり、これら腹側湾曲弾性部材２８は、互いに交差することなく、間隔をおいて配置されている。この腹側湾曲弾性部材群２８も、２，３本程度の弾性伸縮部材を間隔を密にして実質的に一束として配置されるのではなく、所定の伸縮ゾーンを形成するように３〜２０ｍｍ、好ましくは６〜１６ｍｍ程度の間隔を空けて、３本以上、好ましくは５本以上配置される。
【００２７】
なお、図示例では、前身頃Ｆ及び後身頃Ｂに配置された腰回り弾性部材２５及び湾曲弾性部材２６，２８は、図８及び図９に示すように、製造時に外装シートに対して連続的に固定した後に、内装体と重なる部分の一部または全部が、所定の切断パターンＣＰで細かく切断されて収縮力が作用しない非収縮部分（つまり、図８及び図９の切断パターンＣＰと重なる部分）とされ、この非収縮部分より側方に湾曲しつつ延在する部分が収縮力の作用する収縮部分（つまり、図８及び図９の切断パターンＣＰより側方の、腰回り弾性部材２５及び湾曲弾性部材２６，２８が連続的に残された部分）とされている。このため、腰回り弾性部材２５及び湾曲弾性部材２６，２８は、一方側のサイドシール部２１から内装体１０を横切って他方（反対）側のサイドシール部２１まで連続的に設けた後に、内装体と重なる部分の一部または全部が、細かく切断される。これにより、内装体（特に吸収体１３）の幅方向の縮こまりをより防止することができる。もちろん、腰回り弾性部材２５及び湾曲弾性部材２６，２８を、内装体１０を横切って連続的に配置することもできる。
【００２８】
上述した外装シート２０は、例えば特開平４−２８３６３号公報や、特開平１１−３３２９１３号公報記載の技術により製造することができる。また、湾曲弾性部材２６，２８を内装体１０上で切断し不連続化するには、特開２００２−３５０２９号公報、特開２００２−１７８４２８号公報及び特開２００２-２７３８０８号公報に記載される切断方法が好適に採用される。
【００２９】
図示例とは異なり、湾曲弾性部材を、前身頃Ｆ及び後身頃Ｂのいずれか一方にのみ設けるだけでも良い。また、湾曲弾性部材２６，２８を、前身頃Ｆ及び後身頃Ｂの両方に設ける場合、前身頃Ｆ側に配置された湾曲弾性部材の群の一部又は全部と、後身頃Ｂ側に配置された湾曲弾性部材Ｂの群の一部又は全部とが交差する形態（図示せず）も採用できるが、図示例のように、前身頃Ｆ側に配置された湾曲弾性部材２８の群と、後身頃Ｂ側に配置された湾曲弾性部材Ｂの群とは互いに交差することなく前後方向中間部、特に前身頃Ｆに若干偏った位置で縦方向に離間している形態が好適であり、その縦方向離間範囲９０における最小縦方向離間距離は１０〜１５ｍｍ程度とし、この部分に後述する広幅の固定領域を設けるのが好ましい。
【００３０】
さらに、湾曲弾性部材２６，２８はその全体が湾曲していなくても良く、部分的に直線状の部分を有していても良い。
【００３１】
弾性部材２４〜２８の固定時の伸長率は適宜定めることができるが、通常の成人用の場合、ウエスト部弾性部材２４は２３０〜３２０％程度、腰回り弾性部材２５は２３０〜３２０％程度、湾曲弾性部材２６，２８は２３０〜３２０％％程度とすることができる。
【００３２】
（弾性部材のホットメルト接着剤による固定）
ウエスト部弾性部材２４、腰回り弾性部材２５及び湾曲弾性部材２６，２８は、外装シート２０を構成する一対のシート層２０Ａ，２０Ｂの間に挟まれるとともに、それらシート層２０Ａ，２０Ｂに対してホットメルト接着剤により接着固定されており、そのホットメルト接着剤の塗布量は外装シート２０の柔軟性を大きく左右する。よって、図８に示すように、ウエスト部弾性部材２４及び腰回り弾性部材２５の固定のための接着部分Ｂ１は、ウエスト部弾性部材２４の配置部分及びその近傍、腰回り弾性部材２５の配置部分及びその近傍のみとするのが好ましい。
【００３３】
図８は、製造工程におけるホットメルト接着剤の塗布部位Ｂ１を示しており、ウエスト部弾性部材２４及び腰回り弾性部材２５を両シート層２０Ａ，２０Ｂに固定するためのホットメルト接着剤Ｂ１は、実質的に各弾性部材２４，２５の配置部位及びその近傍にのみ塗布されている。このような接着剤の塗布は、外周面に接着剤を塗布した弾性部材２４，２５を両シート層２０Ａ，２０Ｂで挟むことにより実現することができ、そのような弾性部材２４，２５の外周面への接着剤の塗布はノードソン社のシュアラップノズルにより行うことができる。
【００３４】
一方、湾曲弾性部材２６，２８を両シート層２０Ａ，２０Ｂに固定するためのホットメルト接着剤Ｂ２，Ｂ３は脚周り部の柔軟性を左右する点で重要である。特徴的には、図９に全体を、また図１０に前身頃Ｆの要部、及び図１１に後身頃Ｂの要部をそれぞれ示すように、湾曲弾性部材２６，２８の収縮部分を幅方向変化量が５ｍｍとなる間隔で区分し、各区間の両端を結ぶ直線ｋが幅方向に対してなす角度を区間角度αと定めたとき、側方に向かうにつれての区間角度αの増加量が５°以上の隣接区間からなる急湾曲区間１００では、湾曲弾性部材２６，２８を固定するためのホットメルト接着剤Ｂ２の塗布量が５〜１２ｇ／ｍ2（より好ましくは６〜１０ｇ／ｍ2）とされ、それ以外の緩湾曲区間１０１ではホットメルト接着剤Ｂ３の塗布量が３〜５ｇ／ｍ2とされ、かつホットメルト接着剤Ｂ２の塗布量がホットメルト接着剤Ｂ３の塗布量の１．５〜４倍（より好ましくは１．６〜３．３倍）とされている。急湾曲区間１００は、製造時に湾曲弾性部材２６，２８に加わる張力が湾曲弾性部材２６，２８の揺動により強くなる部分であり、この部分における湾曲弾性部材２６，２８の固定のためのホットメルト接着剤Ｂ２の塗布量を十分に確保し、それ以外は少なく抑えることにより、脚周り部の柔軟性低下を抑えつつ、湾曲弾性部材２６，２８の湾曲が緩くなる事態を防止できるようになる。
【００３５】
これら急湾曲区間１００及び緩湾曲区間１０１に用いるホットメルト接着剤の塗布装置（アプリケータ）は、上記塗布量が可能である限り特に限定されず、両区間を同じ塗布装置により塗布しても良いが、急湾曲区間１００では、接触式塗布装置によりホットメルト接着剤を膜状に塗布し、緩湾曲区間１０１では、エアーによりホットメルト接着剤を散布する非接触式塗布装置によりホットメルト接着剤を塗布すると特に好ましいものとなる。つまり、強く確実な固定が必要な急湾曲区間１００では接触式塗布装置を用い、均質な塗布膜を形成することが好ましく、固定力を可能な限り下げずに柔軟性を向上するために緩湾曲区間１０１では、エアーによりホットメルト接着剤を散布する非接触式塗布装置を用い、若干斑な塗布を行うことが好ましい。なお、接触式塗布装置はホットメルト接着剤が既に塗布されている部分には塗布できないため、非接触式塗布装置よりも先に塗布を行い、次いで非接触式塗布装置による塗布を行う。
【００３６】
ホットメルト接着剤の接触式塗布装置は、ホットメルト接着剤を塗工する際、噴出機を塗布対象に接触させるものであり、スロットコーターやロールコーター等を例示することができる。一方、非接触式塗布装置は、ホットメルト接着剤を塗工する際、噴出機を塗布対象に接触させずに、エアーによりホットメルト接着剤を散布するものであり、螺旋状に塗工できるスパイラル塗布装置、波状に塗工できるオメガ塗布装置やコントロールシーム塗布装置、面状に塗工できるカーテン塗布装置、点状に塗工できるドット塗布装置等を例示することができる。
【００３７】
図１０及び図１１は、接触式塗布装置及び非接触式塗布装置を組み合わせた製造工程におけるホットメルト接着剤の塗布部位Ｂ２，Ｂ３を示しており、湾曲弾性部材２６，２８は二点鎖線で示されるように内装体１０を横切る部分の切断前の状態を示している。急湾曲区間１００においては、矩形の接着剤塗布部分Ｂ２が湾曲弾性部材２６，２８の湾曲方向に沿って階段状に並設されることにより、湾曲弾性部材２６，２８の長手方向全体にわたり、湾曲弾性部材２６，２８の配置部分及びその縦横各所定距離以内の領域にのみ接着剤が塗布されている。このような接着剤Ｂ２の塗布は、塗布工程においてシート層２０Ａ，２０Ｂの横方向（おむつの幅方向）がラインＭＤ方向（流れ方向）に沿う通常の形態では、ラインＣＤ方向（ＭＤ方向と交差する方向）に複数のスロット塗布ノズルを並設し、各ノズルから独立的かつ間欠的に接着剤を塗布することにより行うことができる。
【００３８】
また、緩湾曲区間１０１では、その前後（縦）方向全体を含む塗布幅をもって、幅方向全体にわたりホットメルト接着剤Ｂ３が連続的に塗布されている。これは非接触式塗布装置が間欠塗布に不向きだからであり、湾曲弾性部材２６，２８を有しない部分において柔軟性が若干低下するが、塗布量が十分に少ないためその影響は少ない。もちろん、緩湾曲区間１０１においても、急湾曲区間１００と同様に矩形の接着剤塗布部分を階段状に並設することも可能である。
【００３９】
（内装体の構造例）
内装体１０は、図５〜図７に示すように、不織布などからなる液透過性表面シート１１と、ポリエチレン等からなる液不透過性裏面側シート１２との間に、吸収体１３を介在させた構造を有しており、表面シート１１を透過した排泄液を吸収保持するものである。
【００４０】
吸収体１３の表面側（肌当接面側）を覆う液透過性表面シート１１としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。液透過性表面シート１１に多数の透孔を形成した場合には、尿などが速やかに吸収されるようになり、ドライタッチ性に優れたものとなる。液透過性表面シート１１は、吸収体１３の側縁部を巻き込んで吸収体１３の裏面側まで延在している。
【００４１】
吸収体１３の裏面側（非肌当接面側）を覆う液不透過性裏面側シート１２は、ポリエチレンまたはポリプロピレンなどの液不透過性プラスチックシートが用いられるが、近年はムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に延伸することにより得られる微多孔性シートである。
【００４２】
吸収体１３としては、公知のもの、例えばパルプ繊維の積繊体、セルロースアセテート等のフィラメントの集合体、あるいは不織布を基本とし、必要に応じて高吸収性ポリマーを混合、固着等してなるものを用いることができ、図示例では平面形状を略方形状として成形されたものが使用され、その幅寸法は股間部への当たりによって着用者にゴワ付き感を与えない寸法幅となっている。この吸収体１３は、形状及びポリマー保持等のため、必要に応じてクレープ紙等の、液透過性及び液保持性を有する包装シート１４によって包装することができる。吸収体１３の形状は、図示形態のように長方形状とする他、背側及び腹側に対して股間部の幅が狭い砂時計形状（括れ形状）とすることもできる。
【００４３】
内装体１０の両側部には脚周りにフィットする立体ギャザーＢＳが形成されているのが好ましい。この立体ギャザーＢＳはギャザー不織布１５により形成される、ギャザー不織布としては、図６及び図７に示されるように、折返しによって二重シートとした不織布が好適に用いられ、液透過性表面シート１１によって巻き込まれた吸収体１３の側縁部をさらにその上側から巻き込んで吸収体１３の裏面側まで延在して接着されている。より具体的には、ギャザー不織布１５は、おむつ１の長手方向中間部では、立体ギャザーＢＳ形成部分を残し、幅方向中間部から吸収体１３の裏面側に亘る範囲がホットメルト接着剤等によって接着され、また長手方向前後端部では、幅方向中間部から一方側端縁までの区間が吸収体１３の裏面側に亘る範囲で接着されるとともに、立体ギャザーＢＳを形成する部分を吸収体１３の上面部にて折り畳むようにしながらホットメルト接着剤等により接着している。
【００４４】
二重シート不織布によって形成されたギャザー不織布１５の内部には、起立先端側部分に複数本の糸状弾性伸縮部材１６が配設されている。糸状弾性伸縮部材１６は、製品状態において図６に二点鎖線で示すように、弾性伸縮力により吸収体側縁部より突出する不織布部分を起立させて立体ギャザーＢＳを形成するためのものである。
【００４５】
液不透過性裏面側シート１２は、二重シート状のギャザー不織布１５の内部まで進入し、図６に示されるように、立体ギャザーＢＳの下端側において防漏壁を構成するようになっている。この液不透過性裏面側シート１２としては、排便や尿などの褐色が出ないように不透明のものを用いるのが望ましい。不透明化としては、プラスチック中に、炭酸カルシウム、酸化チタン、酸化亜鉛、ホワイトカーボン、クレイ、タルク、硫酸バリウムなどの顔料や充填材を内添してフィルム化したものが好適に使用される。
【００４６】
糸状弾性伸縮部材１６としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。また、外側から見え難くするため、太さは９２５ｄｔｅｘ以下、テンションは１５０〜３５０％、間隔は７．０ｍｍ以下として配設するのがよい。なお、糸状弾性伸縮部材に代えて、ある程度の幅を有するテープ状弾性伸縮部材を用いるようにしてもよい。
【００４７】
前述のギャザー不織布１５を構成する素材繊維も液透過性表面シート１１と同様に、ポリエチレンまたはポリプロピレン等のオレフィン系、ポリエステル系、アミド系等の合成繊維の他、レーヨンやキュプラ等の再生繊維、綿等の天然繊維とすることができ、スパンボンド法、サーマルボンド法、メルトブローン法、ニードルパンチ法等の適宜の加工方法に得られた不織布を用いることができるが、特にはムレを防止するために坪量を抑えて通気性に優れた不織布を用いるのがよい。さらにギャザー不織布１５については、尿などの透過を防止するとともに、カブレを防止しかつ肌への感触性（ドライ感）を高めるために、シリコン系、パラフィン金属系、アルキルクロミッククロイド系撥水剤などをコーティングした撥水処理不織布を用いるのが望ましい。
【００４８】
（内装体と外装シートとの固定）
急湾曲区間１００に限るとはいえ前述のようにホットメルト接着剤の塗布量を増加させると、その領域は硬くならざるをえない。よって、図示形態のように、急湾曲区間１００を内装体１０と重なる部位にとどめ、塗布量が多く比較的に硬い急湾曲区間１００を内装体１０でカバーし、身体への直接接触を避けることが望ましい。この場合、図３に示すように、内装体１０と外装シート２０とを固定する内外装固定領域８０は、急湾曲区間１００を有する前後方向範囲８１，８２では急湾曲区間１００の全体に及ぶように、当該前後方句範囲の前後少なくとも一方側８３より幅が拡大されているのも望ましい。このように、内外固定領域８０を急湾曲区間１００の全体に及ぼさせることで、確実に急湾曲区間１００を内装体１０でカバーし、前述の急湾曲区間１００のカバー効果を発揮させることができるとともに、急湾曲区間１００により内装体１０を身体に押しつける効果も向上するようになる。
【００４９】
（前後押えシート）
図１及び図４にも示されるように、外装シート２０の内面上に取り付けられた内装体１０の前後端部をカバーし、且つ内装体１０の前後縁からの漏れを防ぐために、前後押えシート５０，６０が設けられている。図示形態について更に詳細に説明すると、前押えシート５０は、前身頃Ｆ内面のうちウエスト側端部の折り返し部分２０Ｃの内面から内装体１０の前端部と重なる位置まで幅方向全体にわたり延在しており、後押えシート６０は、後身頃Ｂ内面のうちウエスト側端部の折り返し部分２０Ｃの内面から内装体１０の後端部と重なる位置まで幅方向全体にわたり延在している。前後押えシート５０，６０の股下側縁部に幅方向の全体にわたり（中央部のみでも良い）若干の非接着部分を設けると、接着剤が食み出ないだけでなく、この部分を表面シートから若干浮かせて防漏壁として機能させることができる。
【００５０】
図示形態のように、前後押えシート５０，６０を別体として取り付けると、素材選択の自由度が高くなる利点があるものの、資材や製造工程が増加する等のデメリットもある。そのため、外装シート２０をおむつ１内面に折り返してなる折り返し部分２０Ｃを、吸収パッド２００と重なる部分まで延在させて、前述の押えシート５０，６０と同等の部分を形成することもできる。
【産業上の利用可能性】
【００５１】
本発明は、上記例のようなパンツタイプ使い捨ておむつにおいて利用できるものである。
【符号の説明】
【００５２】
Ｂ…後身頃、Ｆ…前身頃、α…区間角度、θ…縦方向交差角、１…パンツタイプ使い捨ておむつ、１０…内装体、１１…液透過性表面シート、１２…液不透過性裏面側シート、１３…吸収体、１４…包装シート、１５…ギャザー不織布、１６…糸状弾性伸縮部材、２０…外装シート、２０Ｃ…折り返し部分、２１…サイドシール部、２４…ウエスト部弾性部材、２５…腰回り弾性部材、２６，２８…湾曲弾性部材、２６…背側湾曲弾性部材、２８…腹側湾曲弾性部材、２９…脚回りライン、７０…交差部分、８０…内外固定領域、１００…急湾曲区間、１０１…緩湾曲区間。
【図１】
2014028066.tif 000003
【図２】
2014028066.tif 000004
【図３】
2014028066.tif 000005
【図４】
2014028066.tif 000006
【図５】
2014028066.tif 000007
【図６】
2014028066.tif 000008
【図７】
2014028066.tif 000009
【図８】
2014028066.tif 000010
【図９】
2014028066.tif 000011
【図１０】
2014028066.tif 000012
【図１１】
2014028066.tif 000013